(57)【要約】【課題】使用者による開閉容易性を阻害したり、構造を複雑化することなく、洗浄水の内部への残留を抑制することが可能なキャップを提供すること。【解決手段】キャップ本体１１０と上蓋１２０からなり、キャップ本体の筒状側壁１１９の上端側と上蓋１２０の外筒壁１２２の下端側のそれぞれの対向面の少なくとも一方が、キャップ本体１１０の筒状側壁１１９の上端側と上蓋１２０の外筒壁１２２の下端側の外周面よりも、濡れ性が低いこと。【選択図】図１
2016185814.tif 000002
【特許請求の範囲】
【請求項１】
キャップ本体と上蓋からなるキャップであって、
前記上蓋は、頂壁と外筒壁とを備え、
前記キャップ本体は、頂板部と前記上蓋の外筒壁と対向する筒状側壁とを有し、
前記キャップ本体の筒状側壁の上端側と前記上蓋の外筒壁の下端側のそれぞれの対向面の少なくとも一方が、前記キャップ本体の筒状側壁の上端側と前記上蓋の外筒壁の下端側の外周面よりも、濡れ性が低いことを特徴とするキャップ。
【請求項２】
前記キャップ本体の筒状側壁の上端側と前記上蓋の外筒壁の下端側の外周面には、濡れ性を高めた濡れ処理領域を有していることを特徴とする請求項１に記載のキャップ。
【請求項３】
前記キャップ本体の筒状側壁の上端側と前記上蓋の外筒壁の下端側のそれぞれの対向面の少なくとも一方に、撥水性を高めた撥水処理領域を有していることを特徴とする請求項１又は請求項２に記載のキャップ。
【請求項４】
前記キャップ本体と前記上蓋が、連結部により開閉可能に連結され、
前記上蓋が、前記外筒壁の内周側に係止部を有し、
前記キャップ本体の筒状側壁が、前記上蓋の係止部と係合する係止凸部を有することを特徴とする請求項１乃至請求項３のいずれかに記載のキャップ。
【発明の詳細な説明】
【技術分野】
【０００１】
本発明は、キャップ本体と上蓋からなり、容器口部に装着されるキャップに関する。
【背景技術】
【０００２】
従来、調味料容器などの容器口部に装着されるキャップとして、キャップ本体と上蓋からなり、使用の都度、上蓋を開閉可能とした合成樹脂製キャップが広く用いられている。
このようなキャップによって調味料等の内容物を充填した容器をキャッピングする一連の工程において、充填時に内容物が容器の外面等に飛散付着した付着物を洗浄するため、また、キャップや容器の外表面の殺菌のため、容器口部にキャップを嵌合固定した後に、洗浄水によってシャワー処理することが広く行われている。
【先行技術文献】
【特許文献】
【０００３】
【特許文献１】特開２００７−９９３１７号公報
【発明の概要】
【発明が解決しようとする課題】
【０００４】
しかしながら、キャップ本体と上蓋からなるキャップの場合、キャップ本体の外周壁部の上端側と前記上蓋の外筒壁の下端側の対向部にわずかに間隙が存在するため、洗浄水によるシャワー処理の際に、その間隙から洗浄水がキャップの内側に浸入する。
浸入した洗浄水が長期間滞留すると、カビや細菌が繁殖して衛生上問題が生じるおそれがあった。
例えば、図５に示すように、キャップ本体５１０と上蓋５２０が連結部（図示省略）により開閉可能に連結されたヒンジキャップ５００の場合、筒状側壁５１９の外側側壁５１１の上端側の対向面５２３と外筒壁５２２の下端側の対向部に存在する隙間から洗浄水が浸入し、隙間を外面側端部に取り付く水滴によって浸入する洗浄水が多く供給され、筒状側壁５１９の内側側壁５１３と外側側壁５１１との間の弧状スリット５３０の空間が洗浄水で満たされる。
このように浸入した洗浄水は、通常は下方のスリット等から排出されたり、短期間で蒸発するが、排出不良で長期間残留し、衛生上の問題が生じる可能性があった。
【０００５】
また、キャップ本体５１０と上蓋５２０は、キャップ本体５１０の筒状側壁５１９の内側側壁５１３に設けられた係止凸部５１４と上蓋５２０の外筒壁５２２の内周側に設けられた係止部５２４が係合することで、閉じた状態で固定されており、係止凸部５１４と係止部５２４が密着してシールポイントＰを形成するが、例えば、高温状態から低温の洗浄水により冷却された場合等の、温度変化が生じると、注出筒５１５との間に形成された空間が負圧となることがあり、図示の矢印で示すように、シールポイントＰより内部に洗浄水が吸引される虞があった。
【０００６】
このシールポイントＰより内部の空間は、通常は密閉状態にあるため、この空間に浸入した洗浄水は極めて長期間残留することとなり、衛生上の問題が生じるおそれがあった。
また、商品を購入した使用者が上蓋５２０を開封した際、シールポイントＰより内部の空間に洗浄水が残留していると、使用者に違和感や嫌悪感を与えるおそれがあった。
係止部の構造を工夫して密封性を上げることで内側へ浸入を抑制することも考えられるが、構造の複雑化をもたらし、使用者による開閉容易性が阻害されることにも繋がるため、密封性を上げるには限界があった（特許文献１等参照。）。
【０００７】
そこで本発明は、前述したような課題を解決するものであって、使用者による開閉容易性を阻害したり、構造を複雑化することなく、洗浄水の内部への残留を抑制することが可能なキャップを提供することを目的とする。
【課題を解決するための手段】
【０００８】
本発明に係るキャップは、キャップ本体と上蓋からなるキャップであって、前記上蓋は、頂壁と外筒壁とを備え、前記キャップ本体は、頂板部と前記上蓋の外筒壁と対向する筒状側壁とを有し、前記キャップ本体の外周壁部の上端側と前記上蓋の外筒壁の下端側のそれぞれの対向面の少なくとも一方が、前記キャップ本体の外周壁部の上端側と前記上蓋の外筒壁の下端側の外周面よりも、濡れ性が低いことにより、前記課題を解決するものである。
【発明の効果】
【０００９】
請求項１に係るキャップによれば、キャップ本体の外周壁部の上端側と上蓋の外筒壁の下端側のそれぞれの対向面の少なくとも一方が、キャップ本体の外周壁部の上端側と前記上蓋の外筒壁の下端側の外周面よりも、濡れ性が低いことにより、洗浄水が隙間から対向面に浸入することが抑制され、使用者による開閉容易性が阻害されたり、内部の構造を複雑化することなく、洗浄水の内部への浸入を抑制し、残留を防止することができる。
【００１０】
請求項２に記載の構成によれば、キャップ本体の外周壁部の上端側と上蓋の外筒壁の下端側の外周面には、濡れ性を高めた濡れ処理領域を有していることにより、隙間近傍の外周に洗浄水が水滴となって存在することがなくなるため、隙間に付着する洗浄水の量を減少させて浸入を抑制でき、使用者による開閉容易性が阻害されたり、内部の構造を複雑化することなく、洗浄水の内部への浸入を抑制し、残留を防止することができる。
請求項３に記載の構成によれば、キャップ本体の外周壁部の上端側と上蓋の外筒壁の下端側のそれぞれの対向面の少なくとも一方に、撥水性を高めた撥水処理領域を有していることにより、表面張力によって洗浄水の隙間への浸入をさらに確実に抑制することが可能となる。
請求項４に記載の構成によれば、キャップ本体と上蓋が連結部により開閉可能に連結されたキャップにおいて、キャップ本体と上蓋との係止力を高めたり、係止のための構造を複雑化することなく、洗浄水の内部への浸入を抑制することができる。
【図面の簡単な説明】
【００１１】
【図１】本発明の一実施形態であるキャップの断面側面図。
【図２】本発明の一実施形態であるキャップの連結部の説明図。
【図３】本発明の一実施形態であるキャップの一部断面側面図。
【図４】対向部付近の一部断面拡大説明図。
【図５】従来のキャップの断面説明図。
【発明を実施するための形態】
【００１２】
以下に、本発明の一実施形態であるキャップ１００の構成について、図面に基づいて説明する。
キャップ１００は、図１に示すように、容器口部１５０に装着されるキャップ本体１１０と上蓋１２０からなり、各種の熱可塑性樹脂を用いての射出成形により一体成形されている。
キャップ本体１１０は、頂板部１１６と、頂板部１１６の周縁部から垂下している筒状側壁１１９とから構成されている。
頂板部１１６の下面には、筒状側壁１１９とは間隔を置いて下方に延びているインナーリング１１７が形成されている。
筒状側壁１１９の内面の下方部分には、係合用突起１１８が設けられている。
即ち、このインナーリング１１７と筒状側壁１１９との間の空間に容器口部１５０が嵌め込まれ、かつ、係合用突起１１８が容器口部１５０の外面に係合することにより、キャップ本体１１０は、容器口部１５０に嵌着される。
また、キャップ本体１１０の筒状側壁１１９は、上端から下方へ延びる弧状スリット１３０により、内側側壁１１３と外側側壁１１１とに分断されている。
内側側壁１１３と外側側壁１１１とは、その下端で、薄肉の連接部１３１で接続され、二重壁構造が形成されている。
このような二重壁構造は、キャップ本体１１０を容器口部１５０から容易に取り外せるように形成されているものであり、容器内容液を使い切った後に、キャップと容器とを分別して廃棄するための公知技術である。
【００１３】
キャップ本体１１０の頂板部１１６の中央部分は、凹んだ凹部となっており、その周縁部には、注出用開口を形成するための無端状スコア１４１が形成されている。
頂板部１１６の上面には、スコア破断用のプルリング１４２が支柱１４３を介して設けられている。
即ち、プルリング１４２を引っ張ることにより、スコア１４１が破断し、内容物を注ぎ出すための開口が形成されるようになっている。
頂板部１１６の上面には、スコア１４１を取り囲むようにして、注出液案内用の注出筒１１５が形成されている。
後述する上蓋１２０との連結部１２６側において、注出筒１１５の背が低く形成され、上蓋１２０を閉じるときに上蓋１２０の旋回を妨害しないように構成されている。
一方、上蓋１２０との連結部１２６側とは反対側の注出筒１１５の上端は、ラッパ状に広がって液切れ性の向上が図られるとともに、液の排出をスムーズに行い得るようになっている。
即ち、頂板部１１６の注出用開口を介して注ぎ出された内容液は、連結部１２６の反対側の注出筒１１５によって案内される。
【００１４】
上蓋１２０は、頂壁１２１と、頂壁１２１の周縁から延びている外筒壁１２２とを有している。
上蓋１２０の外筒壁１２２の内周側には係止部１２４が設けられ、キャップ本体１１０の頂板部１１６の上面には上蓋１２０の係止部１２４と係合する係止凸部１１４が設けられ、係止部１２４と係止凸部１１４が係合することで、使用者の使用開始後にも上蓋１２０によって封止可能に構成されている。
【００１５】
上蓋１２０は、キャップ本体１１０の筒状側壁１１９、即ち、外側側壁１１１の上方に連結部１２６を介して開閉動作可能に連結されている。
図１、図２から理解されるように、連結部１２６は、中央の幅広のヒンジバンド１２７と、その両側近傍に位置する２本の小幅のストラップバンド１２８とで形成されている。
ストラップバンド１２８は、上蓋１２０の外筒壁１２２の下端とキャップ本体１１０の外側側壁１１１の上端との境目を垂直方向に覆うように構成されている。
また、一方のストラップバンド１２８の近傍には、外側側壁１１１に、その上端から下端乃至その近傍まで延びているキャップ分別廃棄用の軸方向スコア１２９が形成されている。
【００１６】
本実施形態において、キャップ本体１１０と上蓋１２０とは、連結部１２６で一体的に連結された状態で開閉動作可能に構成されているが、キャップ本体１１０と上蓋１２０を完全に別体のものとしてもよい。
上蓋１２０によって封止された際には、係止凸部１１４と係止部１２４が密着するとともに、キャップ本体１１０の注出筒１１５が上蓋１２０の頂壁１２１の下面及びシール筒１２５の外周面と密着するように構成されている。
また、上蓋１２０の外筒壁１２２の外面には、キャップ本体１１０の筒状側壁１１９との連結部１２６側とは反対側部分に、開封用鍔１４４が設けられている。
【００１７】
図３、図４に示すように、キャップ本体１１０の筒状側壁１１９の外側側壁１１１の上端側と上蓋１２０の外筒壁１２２の下端側の外周面には、濡れ性を高めた濡れ処理領域Ｎを有しており、外側側壁１１１の上端側と外筒壁１２２の下端側のそれぞれの対向面１１２、１２３には、撥水性を高めた撥水処理領域Ｅを有している。
【００１８】
濡れ処理領域Ｎ及び撥水処理領域Ｅは、図示では説明のため断面の内部にハッチングを施したが、表面に濡れ性を高める処理及び撥水性を高める処理が施されていればよく、その処理手段は、火炎処理、プラズマ処理、オゾン処理、コロナ放電処理、物理加工処理、表面被覆処理、化学処理等、いかなる手段であってもよい。
また、濡れ処理領域Ｎ及び撥水処理領域Ｅのみ濡れ性の高い材料及び撥水性の高い材料を適用してもよい。
【００１９】
調味料等の内容物を容器に充填し、本発明の一実施形態であるキャップ１００を容器口部１５０に嵌合固定した後、洗浄水によるシャワー処理を行った場合、図４に示すように、洗浄水は濡れ処理領域Ｎを設けたことによって、水滴となることなく下方に流下することで、筒状側壁１１９の外側側壁１１１の上端側と外筒壁１２２の下端側のそれぞれの対向面１１２、１２３の隙間の外面側端部に取り付く洗浄水が減少し、内部に洗浄水が浸入することを抑制することができる。
さらに、筒状側壁１１９の外側側壁１１１の上端側と外筒壁１２２の下端側のそれぞれの対向面１１２、１２３には、撥水性を高めた撥水処理領域Ｅを設けたことによって、それぞれの対向面１１２、１２３の隙間に洗浄水を毛細管現象で引き込むことを抑制し、あるいは、洗浄水を表面張力によって外周側に排出することが可能となり、洗浄水の内部への浸入をさらに確実に抑制することができる。
【００２０】
上蓋１２０とキャップ本体１１０との連結部１２６において、対向面１１２、１２３の隙間の外面側端部は、ストラップバンド１２８で覆われているため、濡れ処理されにくい部分（即ち、洗浄水の浸入に対して弱点）となっている。
したがって、上記弱点をカバーするため、連結部１２６に対応する位置に撥水性を高めた撥水処理領域Ｅを設けるのは有効となる。
【００２１】
なお、撥水処理領域Ｅを施す手段として、シリコーンオイル、ワックス等を対向面１１２に塗布し、撥水性の被膜を形成する場合、全周ではなく連結部１２６側に対応する位置のみに撥水処理領域Ｅを設けることによって、内容液を注ぎ出す際に、シリコーンオイル、ワックス等が内容液へ移行してしまうことを確実に防ぐことが可能である。
【符号の説明】
【００２２】
１００、５００  ・・・キャップ
１１０、５１０  ・・・キャップ本体
１１１、５１１  ・・・外側側壁
１１２、５１２  ・・・対向面
１１３、５１３  ・・・内側側壁
１１４、５１４  ・・・係止凸部
１１５、５１５  ・・・注出筒
１１６          ・・・頂板部
１１７          ・・・インナーリング
１１８、５１８  ・・・係合用突起
１１９、５１９  ・・・筒状側壁
１２０、５２０  ・・・上蓋
１２１、５２１  ・・・頂壁
１２２、５２２  ・・・外筒壁
１２３、５２３  ・・・対向面
１２４、５２４  ・・・係止部
１２５、５２５  ・・・シール筒
１２６          ・・・連結部
１２７          ・・・ヒンジバンド
１２８          ・・・ストラップバンド
１２９          ・・・軸方向スコア
１３０、５３０  ・・・弧状スリット
１３１          ・・・連接部
１４１          ・・・無端状スコア
１４２          ・・・プルリング
１４３          ・・・支柱
１４４          ・・・開封用鍔
１５０、５５０  ・・・容器口部
Ｎ            ・・・濡れ処理領域
Ｅ            ・・・撥水処理領域
Ｐ            ・・・シールポイント
【図１】
2016185814.tif 000003
【図２】
2016185814.tif 000004
【図３】
2016185814.tif 000005
【図４】
2016185814.tif 000006
【図５】
2016185814.tif 000007